(57)【特許請求の範囲】
【請求項１】
使用者の肩に掛けて使用するショルダーベルト用指圧具であって、
剛性を有する平板状の基盤部と、
前記基盤部を任意のショルダーベルトに取り付けるための柔軟な取付部と、
前記基盤部の長さ方向の１箇所に、1個のみ設けられた突起部と、を有し、
前記基盤部は取付部内に収納されており、
前記突起部は、前記取付部に設けられた開口から外側に露出し、使用者の肩に直接に接触して押圧するように構成されていることを特徴とするショルダーベルト用指圧具。
【請求項２】
使用者の肩に掛けて使用するショルダーベルト用指圧具であって、
剛性を有する平板状の基盤部と、
前記基盤部を任意のショルダーベルトに取り付けるための柔軟な取付部と、
前記基盤部の長さ方向の１箇所に設けられた突起部と、を有し、
前記突起部は、前記長さ方向と交差する幅方向に複数個設けられており、
前記基盤部は取付部内に収納されており、
前記突起部は、前記取付部に設けられた開口から外側に露出し、使用者の肩に直接に接触して押圧するように構成されていることを特徴とするショルダーベルト用指圧具。
【請求項３】
前記基盤部は荷物の重さを受け止める剛性を有するものであり、
前記突起部が設けられている位置は、前記基盤部にかかる荷重が１点に集中する位置であることを特徴とする請求項１に記載のショルダーベルト用指圧具。
【請求項４】
前記取付部は、前記基盤部を包み込む柔軟なものであり、
前記取付部の中央に鞄やリュックサック等の任意のショルダーベルトを巻き込むようにして着脱可能するため、取付部の両端に係止部を設けたことを特徴とする請求項1〜３のいずれか一項に記載のショルダーベルト用指圧具。
【請求項５】
前記基盤部の前記突起部を設ける位置に雌ネジが設けられており、
前記突起部は、前記雌ネジに勘合する雄ネジを有し、
前記突起部の雄ネジを前記基盤部の雌ネジに勘合することで、前記突起部を前記基盤部に取り付け自在の構造としたことを特徴とする請求項１〜４のいずれか一項に記載のショルダーベルト用指圧具。
【発明の詳細な説明】
【技術分野】
【０００１】
本発明は、鞄やリュックサック等のショルダーベルトに取り付け、荷重を利用して肩に指圧を行う指圧具に関するものである。
【背景技術】
【０００２】
ショルダーベルト用の肩当て構造としては、下記の特許文献に記載されたものが公知である。
【先行技術文献】
【特許文献】
【０００３】
【特許文献１】特開２００１−７０３９８
【特許文献２】特開２００９−１８９６８９
【特許文献３】実開平６−１３５４３
【発明の概要】
【発明が解決しようとする課題】
【０００４】
従来、ショルダーベルトに取り付け、鞄やリュックサックの荷重による加圧や歩行時の上下動を複数の突起により肩に伝える指圧具は考えられていた。しかしながら、荷物の重さを受け止める基盤部が柔軟であったり突起が複数であること等から、荷物の重さが分散され指圧効果が軽減されてしまう課題があった。
【０００５】
また、突起が固定であるものは、必ずしも服装の材質や厚み、荷物の重さ等  に適した指圧効果を得ることができないという課題があった。
【課題を解決するための手段】
【０００６】
本発明は例えば、鞄やリュックサックの荷物の重さを受け止める剛性のある基盤部（１）に、１つの突起（２）を設け、ショルダーベルトに取り付けるための柔軟な取付部（３）でつつみ、鞄やリュックサック等の任意のショルダーベルト（１９）に着脱可能とし、基盤部（１）で受け止めた荷物の重さを、１つの突起（２）に集中させて肩に伝える指圧具を提供することにある。
【発明の効果】
【０００７】
本発明は、任意のショルダーベルト（１９）に着脱可能であり、基盤部（１）にかかる荷重を１点又は１箇所に集中させ、荷物の重さおよび歩行時の上下動を利用して指圧効果を得ることができる。長さ方向１箇所に設ける突起（２）は幅方向に複数個設けてもよい。
【０００８】
突起（２）は基盤部（１）に固定でも交換可能としたものでもよく、交換可能な構造にした場合は、服装の材質や厚み、荷物の重さや好みに合わせて突起（２）を交換することで、適切な指圧効果を選択することができる。
【図面の簡単な説明】
【０００９】
【図１】本発明の斜視図である。
【図２】本発明のショルダーバッグでの使用例斜視図である。
【図３】装着前表面斜視図である。
【図４】装着前裏面斜視図である。
【図５】基盤部と突起の配置関係斜視図である。
【図６】基盤部と突起の配置関係平面図である。
【図７】基盤部実施例平面図である。
【図８】突起の交換部実施例１側面図である。
【図９】突起アダプタ実施例１側面図である。
【図１０】突起の交換部実施例２側面図である。
【図１１】突起アダプタ実施例２側面図である。
【図１２】突起形状の実施例側面図である。
【図１３】突起のゴムラバーコーティング実施例断面図である。
【図１４】突起先端の凸部実施例側面図、平面図である。
【図１５】ショルダーベルトへの装着手順1である。
【図１６】ショルダーベルトへの装着手順２である。
【図１７】ショルダーベルトへの装着手順３である。
【図１８】装着前裏面に幅広ショルダーベルトをかけた斜視図である。
【図１９】幅広ショルダーベルト用アタッチメント斜視図である。
【図２０】幅広ショルダーベルト用アタッチメント使用例斜視図である。
【図２１】アタッチメント取付状態のショルダーベルト装着手順1である。
【図２２】アタッチメント取付状態のショルダーベルト装着手順２である。
【図２３】アタッチメント取付状態のショルダーベルト装着手順３である。
【発明を実施するための形態】
【００１０】
図１、図３及び図４を用いて本発明に係るショルダーベルト用指圧具の実施の形態を説明する。
【００１１】
ショルダーベルト用指圧具Ａは、ショルダーベルトに装着し荷物の重さを受け止める剛性のある基盤部（１）に、ショルダーベルトに取り付けるための柔軟な取付部（３）を設け、基盤部（１）にかかる荷重が１点に集中する位置の内側に１つの突起（２）を設けたものである。
【００１２】
取付部（３）は図３及び図４に示すように、基盤部（１）を包み込むものであり、この取付部（３）の中央に鞄やリュックサック等の任意のショルダーベルト（１９）を巻き込むようにして着脱可能とするため、両端に係止部（４ａ）、（４ｂ）を設けたものである。なお、係止部（４ａ）、（４ｂ）としては面状接着体やホック等が考えられる。
【００１３】
図２に示すように、ショルダーベルト用指圧具Ａの基盤部（１）の長手方  向の両端は肩から浮き上がり、荷物の重さは１つの突起（２）を介して肩に押し付けられる。
【００１４】
図５及び図６は基盤部（１）と突起（２）の配置関係を示したものである。図５（ａ）及び図６（ａ）は突起（２）が１つであるが、長手方向の両側が肩から浮き上がることで効果を得ることができるため、図５（ｂ）及び図６（ｂ）のように基盤部（１）の長手方向の1箇所であれば、幅方向に複数の突起（２ａ、２ｂ、２ｃ）を設けてもよい。
【００１５】
図７は基盤部（１）の実施例平面図である。図５及び図６では基盤部（１）は長方形状となっているが、図７（ａ）のような角丸長方形状（１ａ）や図７（ｂ）のような長円状（１ｂ）のもの等が考えられる。
【００１６】
突起（２）は基盤部（１）に固定して設けることができるが、突起（２）を基盤部（１）に取り付け自在の構造とした物は、突起（２）を形状や材質の異なる物に容易に交換することができる。
【００１７】
取り外し可能な例として、図８、図９、図１０及び図１１を説明する。図８及び図９はネジによる実施例であり、図１０及び図１１は磁石による実施例である。
【００１８】
図８はネジを用いた例である。図８（ａ）は突起（２）に雄ネジ部（６）を、基盤部（１）に雌ネジ部（７）を設け、雄ネジ部（６）及び雌ネジ部（７）が十分嵌合し、雄ネジ部（６）が基盤部（１）から突き出ることの無いように、基盤部（１）に補助部材（５）を取り付けた例である。
【００１９】
図８（ｂ）は突起（２）に雄ネジ部（６）を、基盤部（１）に雌ネジ部（７）を設けたもので、この例では、雄ネジ部（６）及び雌ネジ部（７）が十分嵌合し、基盤部（１）は雄ネジ部（６）が突き出ることの無い厚みを有している。
【００２０】
図８（ｃ）は、突起（２）に雌ネジ部（７）を、基盤部（１）に雄ネジ部（６）を設けた例である。
【００２１】
図９では、図８のネジを用いた例において基盤部（１）からの突起（２）の突出長を増加させるための突起アダプタ（８）について説明する。
【００２２】
図９（ａ）は突起アダプタ（８）の側面図であり、雄ネジ部（９）及び雌ネジ部（１０）が設けられている。
【００２３】
図９（ｂ）は前記図８（ａ）と同じであり、突起アダプタ（８）を使用しない場合の側面図である。
【００２４】
図９（ｃ）は突起アダプタ（８）を取り付けて突出長を増加させるための説明図である。突起（２）の雄ネジ部（６）と突起アダプタ（８）の雌ネジ部（１０）を篏合させ、次に、突起アダプタ（８）の雄ネジ部（９）と基盤部（１）の雌ネジ部（７）を篏合させることで、突起（２）の突出長を増加させることができる。
【００２５】
同様に突起アダプタ（８）の取り外しも容易に可能であるため、指圧効果に応じて挿抜することができる。
【００２６】
図８及び図９はネジによる基盤部（１）と突起（２）の取り外し可能な例であるが、ホックによるものでもよい。
【００２７】
図１０は磁石を用いた例である。図１０（ａ）は、基盤部（１）に突起（２）が十分篏合する凹部を設けるための補助部材（５）と磁石（１１）を設け、強磁性体を持つ金属部（１２）を設けた突起（２）を磁力により取り付ける例である。なお、突起（２）全体が強磁性体を持つ金属部（１２）でもよい。
【００２８】
図１０（ｂ）は基盤部（１）が突起（２）と十分篏合する凹部を設けることができる厚みを有しており、基盤部（１）に強磁性体を持つ金属部（１２）を設け、突起（２）に磁石（１１）を設け磁力により取り付ける例である。なお、突起（２）全体が磁石（１１）であってもよい。
【００２９】
図１１では、図１０の磁石を用いた例において、基盤部（１）からの突起（２）の突出長を増加させるための突起アダプタ（８）について説明する。
【００３０】
図１１（ａ）は突起アダプタ（８）の側面図であり、磁石（１３）及び強磁性体を持つ金属部（１４）が設けられている。
【００３１】
図１１（ｂ）は前記図１０（ａ）と同じであり、突起アダプタ（８）を使用しない場合の側面図である。
【００３２】
図１１（ｃ）は突起アダプタ（８）を取り付けて突出長を増加させるための説明図である。突起（２）の強磁性体を持つ金属部（１２）と突起アダプタ（８）の磁石（１３）を篏合させ、次に、突起アダプタ（８）の強磁性体を持つ金属部（１４）と基盤部（１）の磁石（１１）を篏合させることで、突起（２）の突出長を増加させることができる。
【００３３】
同様に突起アダプタ（８）の取り外しも容易に可能であるため、指圧効果に応じて挿抜することができる。
【００３４】
図１０及び図１１は磁石による基盤部（１）と突起（２）の取り外し可能な例であり、一方側に磁石を設け、他方側に強磁性体を持つ金属としたが、双方を磁石とすることでもよい。また、磁石と金属の組み合わせではなく、面状接着体によるものでもよい。
【００３５】
図１２、図１３及び図１４を用いて突起（２）の形状および材質のバリエーションについて説明する。図１２は突起（２）の形状例として（２ａ）、（２ｂ）、（２ｃ）、（２ｄ）、（２ｅ）のように径の大きさや長さを変更したものを示している。また、材質としては、金属製、樹脂製、ゴム製が考えられる。更に、ショルダーベルト用指圧具Ａが、使用中に肩からずれるのを防ぐための例として、突起（２）をゴムラバー（１５）によりコーティングしたものや、突起（２）の先端部に凸部（１６）を設けたもの等が考えられる。ゴムラバー（１５）によるコーティング実施例断面図を図１３に、突起部（２）の先端に凸部（１６）を設けた実施例側面図を図１４（ａ）に、平面図を図１４（ｂ）に示す。
【００３６】
ショルダーベルトへの装着手順を説明する。図１５は基盤部（１）の上に当たる位置に任意のショルダーベルト（１９）をかけた状態を示している。図１６のようにショルダーベルトを巻き込むように装着し、係止部（４ａ）および（４ｂ）により固定する。図１７は装着状態を示す。ショルダーベルト用指圧具Ａは任意のショルダーベルト（１９）に巻き付いた状態であるため、装着後及び使用中においても、任意のショルダーベルト（１９）に沿わせて滑らすことで、容易に指圧位置を調整することができる。
【００３７】
このように、取付部（３）で任意のショルダーベルト（１９）を巻き込むように取り付けるため、図１８のように任意のショルダーベルト（１９）の幅が広い場合は、ショルダーベルト用指圧具Ａの取付部（３）だけで任意のショルダーベルト（１９）を巻き込むのは適さない。そこで、リュックサック等の幅が広いショルダーベルトに本指圧具Ａを取り付けるためのアタッチメント（１７）を図１９に示す。このアタッチメントは、ショルダーベルト用指圧具Ａの柔軟な取付部（３）と同等の素材と、係止部（４ａ）、（４ｂ）と同等の素材の（１８ａ）及び（１８ｂ）から構成される。
【００３８】
図２０でアタッチメント（１７）の使用方法について説明する。アタッチメント（１７）は左右一対（１７ａ）、（１７ｂ）で使用する。ショルダーベルト用指圧具Ａの係止部（４ａ）とアタッチメント（１７ａ）の係止部（１８ｂ）、同様に係止部（４ｂ）と別のアタッチメント（１７ｂ）の係止部（１８ａ）を接着させることで、全体として、あたかも取付部（３）をショルダーベルトの幅に合わせて容易に延長した事と同様の効果を得ることができる。
【００３９】
アタッチメントを取り付けた状態でのショルダーベルトへの装着手順を説明する。図２１は基盤部（１）の上に当たる位置に幅が広い任意のショルダーベルト（１９）をかけた状態を示している。図２２のように幅が広いショルダーベルトを巻き込むように装着し、係止部（１８ａ）および（１８ｂ）により固定する。図２３は装着状態を示す。ショルダーベルト用指圧具Ａは幅が広い任意のショルダーベルト（１９）に巻き付いた状態であるため、装着後及び使用中においても、幅が広い任意のショルダーベルト（１９）に沿わせて滑らすことで、容易に指圧位置を調整することができる。
【符号の説明】
【００４０】
１  基盤部
２  突起
３  取付部
４  係止部
５  補助部材
６  雄ネジ部
７  雌ネジ部
８  突起アダプタ
９  突起アダプタ雄ネジ部
１０  突起アダプタ雌ネジ部
１１  磁石
１２  強磁性体を持つ金属部
１３  突起アダプタに設けた磁石
１４  突起アダプタに設けた強磁性体を持つ金属部
１５  ゴムラバー
１６  突起先端凸部
１７  幅広ショルダーベルト用アタッチメント
１８  幅広ショルダーベルト用アタッチメント係止部
１９  任意のショルダーベルト
【図１】
0006959963.tif 000002
【図２】
0006959963.tif 000003
【図３】
0006959963.tif 000004
【図４】
0006959963.tif 000005
【図５】
0006959963.tif 000006
【図６】
0006959963.tif 000007
【図７】
0006959963.tif 000008
【図８】
0006959963.tif 000009
【図９】
0006959963.tif 000010
【図１０】
0006959963.tif 000011
【図１１】
0006959963.tif 000012
【図１２】
0006959963.tif 000013
【図１３】
0006959963.tif 000014
【図１４】
0006959963.tif 000015
【図１５】
0006959963.tif 000016
【図１６】
0006959963.tif 000017
【図１７】
0006959963.tif 000018
【図１８】
0006959963.tif 000019
【図１９】
0006959963.tif 000020
【図２０】
0006959963.tif 000021
【図２１】
0006959963.tif 000022
【図２２】
0006959963.tif 000023
【図２３】
0006959963.tif 000024